(57)【特許請求の範囲】
【請求項１】
電子機器を収納するケースにファンモータを配設して電子機器をファンモータにより冷却するようにしたファンモータ内蔵機器において、下ケースと下ケースの上部に取付ける中ケースとで構成したケースに上方がファンモータ出し入れ口となったファンモータ収納部を設け、このファンモータ出し入れ口を、電子機器に接続される端子台が取付けられた中ケースに設け、ファンモータ収納部にファンモータを出し入れ自在にはめ込むと共に、ケースに着脱自在に取付ける上蓋によりファンモータ出し入れ口を閉じて成ることを特徴とするファンモータ内蔵機器におけるファンモータの着脱構造。
【請求項２】
電子機器を収納するケースにファンモータとフィルタとを配設して電子機器をファンモータにより冷却するようにしたファンモータ内蔵機器において、下ケースと下ケースの上部に取付ける中ケースとで構成したケースに上方がファンモータ出し入れ口となったファンモータ収納部と、上方がフィルタ出し入れ口となったフィルタ収納部とを設け、このファンモータ出し入れ口とフィルタ出し入れ口とを、電子機器に接続される端子台が取付けられた中ケースに設け、ファンモータ収納部にファンモータを出し入れ自在にはめ込むと共にフィルタ収納部にフィルタを出し入れ自在に収納し、ケースに着脱自在に取付ける上蓋によりファンモータ出し入れ口及びフィルタ出し入れ口を閉じて成ることを特徴とするファンモータ内蔵機器におけるファンモータの着脱構造。
【請求項３】
ケースに設けたファンモータ収納部の底部に防振用クッション材を配設してファンモータ収納部に収納したファンモータの下端部を防振用クッション材の上に載設して成ることを特徴とする請求項１又は請求項２記載のファンモータ内蔵機器におけるファンモータの着脱構造。
【請求項４】
上蓋の下面にファンモータの上部を支持するための防振用クッション材を配設してファンモータ収納部に収納したファンモータの上端部を防振用クッション材で支持して成ることを特徴とする請求項１乃至請求項３のいずれかに記載のファンモータ内蔵機器におけるファンモータの着脱構造。
【請求項５】
ケースに収納する電子機器が画像処理装置であることを特徴とする請求項１乃至請求項４のいずれかに記載のファンモータ内蔵機器におけるファンモータの着脱構造。
【発明の詳細な説明】
【０００１】
【発明の属する技術分野】
本発明は、ファンモータ内蔵機器におけるファンモータの着脱構造に関するものである。
【０００２】
【従来の技術】
従来から電子機器を内蔵したケースにファンモータを取付け、ファンモータにより電子機器を冷却するようにしたものが知られている。
そして、従来にあっては、図５に示すように、ケースの側壁外面にファンモータ３及びフィルタ７を外方に突出して取付けていた。ファンモータ３及びフィルタ７の取付けに当たっては、ファンモータ３及びフィルタ７をファンモータ３の軸流方向にねじ２７止めにより４箇所取付けるようにしていた。
【０００３】
【発明が解決しようとする課題】
上記の従来例にあっては、ファンモータ３及びフィルタ７をケース２の側壁外面部に突出して取付けていたので、ファンモータ３及びフィルタ７がケース２の外部に露出して収まりが悪くて、商品価値が低下するという問題があり、更に、ファンモータ３及びフィルタ７をケース２の側壁部分に取付けるに当たって、軸流方向にねじ止めして取付けるので、例えば、ＤＩＮレールに本装置を取付けた際等、他の装置が横に設置されると、従来は、本装置の側面に対して直交する方向（つまり、ファンモータ３の軸流方向）からの操作でねじを着脱する必要があって、このため、本装置又は他の装置を取り外さないと、ファンモータ３及びフィルタ７を取り外すことができず、このため、ファンモータ３の交換、フィルタ７の掃除等のメンテナンスがしにくいという問題があり、更に、ねじ操作もケース２の側壁に対して直交する方向からドライバ等を回転操作する必要があるため、操作がしにくいという問題があった。
【０００４】
本発明は上記の従来例の問題点に鑑みて発明したものであって、ファンモータ又はファンモータとフィルタとをケース内に配置して商品価値を高め、しかも、ファンモータ又はファンモータとフィルタとをケース内に配置したといえども、ファンモータ又はファンモータとフィルタの取り出した容易でメンテナンスが簡単に行えるファンモータ内蔵機器におけるファンモータの着脱構造を提供することを課題とするものである。
【０００５】
【課題を解決するための手段】
上記本発明の課題を達成するため、本発明のファンモータ内蔵機器におけるファンモータの着脱構造は、電子機器１を収納するケース２にファンモータ３を配設して電子機器１をファンモータ３により冷却するようにしたファンモータ内蔵機器において、下ケース１１と下ケース１１の上部に取付ける中ケース１２とで構成したケース２に上方がファンモータ出し入れ口４となったファンモータ収納部５を設け、このファンモータ出し入れ口４を、電子機器１に接続される端子台２０が取付けられた中ケース１２に設け、ファンモータ収納部５にファンモータ３を出し入れ自在にはめ込むと共に、ケース２に着脱自在に取付ける上蓋６によりファンモータ出し入れ口４を閉じて成ることを特徴とするものである。このような構成とすることで、ファンモータ３がケース２内に収納され、外観を損なうことがない。そして、上蓋６を取り外すことで、ファンモータ３をファンモータ出し入れ口４から取り出してメンテナンスができる。
【０００６】
また、電子機器１を収納するケース２にファンモータ３とフィルタ７とを配設して電子機器１をファンモータ３により冷却するようにしたファンモータ内蔵機器において、下ケース１１と下ケース１１の上部に取付ける中ケース１２とで構成したケース２に上方がファンモータ出し入れ口４となったファンモータ収納部５と、上方がフィルタ出し入れ口８となったフィルタ収納部９とを設け、このファンモータ出し入れ口４とフィルタ出し入れ口８とを、電子機器１に接続される端子台２０が取付けられた中ケース１２に設け、ファンモータ収納部５にファンモータ３を出し入れ自在にはめ込むと共にフィルタ収納部９にフィルタ７を出し入れ自在に収納し、ケース２に着脱自在に取付ける上蓋６によりファンモータ出し入れ口４及びフィルタ出し入れ口８を閉じて成ることを特徴とするものであってもよい。このような構成とすることで、ファンモータ３及びフィルタ７がケース２内に収納され、外観を損なうことがない。そして、上蓋６を取り外すことで、ファンモータ３、フィルタ７をそれぞれファンモータ出し入れ口４、フィルタ出し入れ口８から取り出してメンテナンスができる。
【０００７】
そして、ケース２に設けたファンモータ収納部５の底部に防振用クッション材１０を配設してファンモータ収納部５に収納したファンモータ３の下端部を防振用クッション材１０の上に載設して成ることが好ましい。このような構成とすることで、ファンモータ３の振動を防振用クッション材１０で吸収することができる。
【０００８】
また、上蓋６の下面にファンモータ３の上部を支持するための防振用クッション材１３を配設してファンモータ収納部５に収納したファンモータ３の上端部を防振用クッション材１３で支持して成ることも好ましい。このような構成とすることで、ファンモータ３の振動を防振用クッション材１３で吸収することができる。
【０００９】
また、ケース２に収納する電子機器１が画像処理装置であることも好ましい。
【００１０】
【発明の実施の形態】
以下本発明を添付図面に示す実施形態につき説明する。ケース２は図１に示すように下ケース１１と中ケース１２とで構成してある。下ケース１１は上方が開口した箱形状をしており、内部に電子機器収納部１４、ファンモータ収納部５、フィルタ収納部９が横に並べて設けてある。
【００１１】
電子機器収納部１４内には電子機器１が収納されるものであり、添付図面に示す実施形態においては、画像処理装置（イメージチェッカ）の回路をプリント基板１５に実装して構成されたものであり、図３に示すように、該プリント基板１５を隙間１６を介して上下方向に多段に積み重ねた状態で下ケース１１の電子機器収納部１４内に収納してある。
【００１２】
そして、電子機器１を電子機器収納部１４内に収納した下ケース１１には、該下ケース１１の上開口部に中ケース１２が取付けられる。ここで、中ケース１２には複数のフック部１８が垂設してあり、フック部１８を下ケース１１に設けた係合孔１９に係合することで、中ケース１２を下ケース１１の上開口部に取付けるものである。
【００１３】
中ケース１２には端子台２０が取付けられ、該端子台２０は下ケース１１内に内装した電子機器１に電気的に接続してある。
中ケース１２にはファンモータ出し入れ口４とフィルタ出し入れ口８とが設けてある。該中ケース１２の端部には２個の固定用ナット２７ａが装着される。
ファンモータ収納部５は下ケース１１の底部に一対のコ字状をした下支持リブ１７を突設してある。下ケース１１の底部のファンモータ収納部５部分には防振ゴムのような防振用クッション材１０が貼り付けてある。フィルタ収納部９は下ケース１１の側面部に開口部２１を形成しており、この開口部２１は側方（図２においてイ方向）及び前後方向（図２において、ロ方向、ハ方向）に開口している。該開口部２１の下部には上記コ字状をした下支持リブ１７の一側片１７ａと対向するリブ２２が突設してあり、更に、開口部２１の前後には開口側前後壁２３が設けてある。
【００１４】
中ケース１２には上蓋６が開閉自在に取付けてある。添付図面に示す実施形態においては、中ケース１２に係止孔２４が設けてあり、図４に示すように、上蓋６の一側端部に設けた係止突片２５を該係止孔２４に着脱自在に係止し、上蓋６の他端部に設けた孔２６からねじ２７を挿入して、中ケース１２の他端部に設けた固定用ナット２７ａに螺合することで、上蓋６を中ケース１２（つまりケース２）に着脱自在に取付けてある。このようにして上蓋６を取付けることで、中ケース１２（つまりケース２の上面部）に形成したファンモータ出し入れ口４及びフィルタ出し入れ口８を閉じるように構成してある。上蓋６の下面部には防止ゴムのような防振用クッション材１３が貼り付けてあり、ここで、上蓋６を閉じた際に、防振用クッション材１３がファンモータ出し入れ口４に対向するような位置に貼り付けてある。
【００１５】
図中３はファンモータであり、７はフィルタである。
しかして、ファンモータ３、フィルタ７の取付けに当たっては、上蓋６を外してファンモータ出し入れ口４及びフィルタ出し入れ口８を開放し、ファンモータ出し入れ口４からファンモータ収納部５にファンモータ３を収納し、また、フィルタ出し入れ口８からフィルタ７をフィルタ収納部９内に収納し、上蓋６を閉じてねじ２７を固定用ナット部２７ａに螺着することで、上記ファンモータ出し入れ口４及びフィルタ出し入れ口８を閉じるものである。ここで、ファンモータ収納部９に収納されたファンモータ３は下部が対向する一対のコ字状をした下支持リブ１７に嵌め込み支持され、上部がファンモータ出し入れ口４の縁部４ａに嵌め込み支持されるものである。また、ファンモータ収納部９に収納されたファンモータ３の底面部は防振用クッション材１０に載置されてファンモータ３の振動が下ケース１１側に伝わらないようにしてあり、更に、上蓋６を閉じた状態で、防振用クッション材１３がファンモータ３の上面部を押圧支持することで、ファンモータ３の振動が上蓋６側に伝わらないようにしてある。また、フィルタ収納部９内に収納されたフィルタ７は下部が下支持リブ１７の一側片１７ａとリブ２２とで支持されると共に前後両側が開口部２１の前後には開口側前後壁２３により支持され、更に、フィルタ７の上部がフィルタ出し入れ口８の縁部８ａに嵌め込み支持されるものである。
【００１６】
このようにファンモータ３、フィルタ７をケース２内に収納することで、ケース２の側壁部の外面側にファンモータ３、フィルタ７を取付けるものに比べて収まりがよくて外観に優れ、取り扱い操作時に外部に突出するファンモータ３やフィルタ７を破損するおそれがないものである。
ここで、ファンモータ３を運転すると、開口部２１から空気を吸い込んで、フィルタ７、ファンモータ３を経て電子機器１側に向けて送風して電子機器１を冷却するものである。
【００１７】
一方、ファンモータ３の交換や、フィルタ７の掃除等のメンテナンスに当たっては、２個のねじ２７を外すことで上蓋６を取り外してファンモータ出し入れ口４及びフィルタ出し入れ口８を開放し、ファンモータ出し入れ口４からファンモータ３を上方に抜き取り、また、フィルタ出し入れ口８からフィルタ７を抜き取ることで、簡単にファンモータ３、フィルタ７を取り外すことができて、ファンモータ３の交換やフィルタ７の掃除等のメンテナンスが簡単にできるようになっている。
【００１８】
ところで、上記ファンモータ３、フィルタ７の取り外しに当たって、上記のように２個のねじ２７を取り外すことで、ファンモータ３、フィルタ７の取り外しができるものであるが、上記ねじ２７の取り外し操作はファンモータ３の軸流方向と直交する方向（つまり、ケース２の側面と直交する方向）に対して直交する方向であるケース２の上方からの操作でできるので、本発明の装置をＤＩＮレールに取付け、本発明の装置の側方に他の装置を近接して取付けた場合であっても、本発明の装置又は側方に位置する他の装置をＤＩＮレールから取り外すことなく、本発明の装置の上方からねじ２７を操作して上蓋６を取り外すことができることになる。更に、この場合、ケース２の側面に直交する方向においてドライバ等を操作するのは操作がしにくいが、上蓋１２に対して直交する方向からドライバ等を操作するのは操作がしやすいことになる。
【００１９】
【発明の効果】
本発明にあっては、上述のように、電子機器を収納するケースにファンモータを配設して電子機器をファンモータにより冷却するようにしたファンモータ内蔵機器において、下ケースと下ケースの上部に取付ける中ケースとで構成したケースに上方がファンモータ出し入れ口となったファンモータ収納部を設け、このファンモータ出し入れ口を、電子機器に接続される端子台が取付けられた中ケースに設け、ファンモータ収納部にファンモータを出し入れ自在にはめ込むと共に、ケースに着脱自在に取付ける上蓋によりファンモータ出し入れ口を閉じてあるので、ファンモータがケース内に収納され、外観を損なうことがないと共に、ファンモータがケースから外部に突出しないので、取り扱い操作時にファンモータが破損したりすることがなく、商品価値を高めることができるものであり、また、上蓋を取り外すことで、ファンモータをファンモータ出し入れ口から取り出してメンテナンスができるものであり、更に、ＤＩＮレールなどに本発明装置を取付けた場合に、上記ファンモータのメンテナンスに当たって、本発明の装置又は側方に位置する別の装置を取り外すことなく、上蓋を取り外すことで、簡単にファンモータを取り外すことができるものである。
【００２０】
また、電子機器を収納するケースにファンモータとフィルタとを配設して電子機器をファンモータにより冷却するようにしたファンモータ内蔵機器において、下ケースと下ケースの上部に取付ける中ケースとで構成したケースに上方がファンモータ出し入れ口となったファンモータ収納部と、上方がフィルタ出し入れ口となったフィルタ収納部とを設け、このファンモータ出し入れ口とフィルタ出し入れ口とを、電子機器に接続される端子台が取付けられた中ケースに設け、ファンモータ収納部にファンモータを出し入れ自在にはめ込むと共にフィルタ収納部にフィルタを出し入れ自在に収納し、ケースに着脱自在に取付ける上蓋によりファンモータ出し入れ口及びフィルタ出し入れ口を閉じてあるので、ファンモータ及びフィルタがケース内に収納され、外観を損なうことがないと共に、ファンモータ及びフィルタがケースから外部に突出しないので、取り扱い操作時にファンモータやフィルタが破損したりすることがなく、商品価値を高めることができるものであり、また、上蓋を取り外すことで、ファンモータ、フィルタをファンモータ出し入れ口、フィルタ出し入れ口から取り出してメンテナンスができるものであり、更に、ＤＩＮレールなどに本発明装置を取付けた場合に、上記ファンモータのメンテナンスに当たって、本発明の装置又は側方に位置する別の装置を取り外すことなく、上蓋を取り外すことで、簡単にファンモータやフィルタを取り外すことができるものである。
【００２１】
また、ケースに設けたファンモータ収納部の底部に防振用クッション材を配設してファンモータ収納部に収納したファンモータの下端部を防振用クッション材の上に載設したものにおいては、ファンモータの下端部からの振動を防振用クッション材により吸収して防振することができるものである。
また、上蓋の下面にファンモータの上部を支持するための防振用クッション材を配設してファンモータ収納部に収納したファンモータの上端部を防振用クッション材で支持したものにおいては、ファンモータの上端部からの振動を防振用クッション材により吸収して防振することができるものである。
【図面の簡単な説明】
【図１】本発明の分解斜視図である。
【図２】同上の下ケースの要部拡大斜視図である。
【図３】同上の断面図である。
【図４】同上の係止突片を係止孔に係止している途中の状態の断面図である。
【図５】従来例のファンモータの取付けを示す分解斜視図である。
【符号の説明】
１  電子機器
２  ケース
３  ファンモータ
４  ファンモータ出し入れ口
５  ファンモータ収納部
６  上蓋
７  フィルタ
８  フィルタ出し入れ口
９  フィルタ収納部
１０  防振用クッション材
１１  下ケース
１２  中ケース
１３  防振用クッション材
【図１】
0003711626.tif 000002
【図２】
0003711626.tif 000003
【図３】
0003711626.tif 000004
【図４】
0003711626.tif 000005
【図５】
0003711626.tif 000006